(57)【要約】【課題】作業員の適切、且つより容易な作業を支援できる部品管理装置を提供する。【解決手段】部品管理装置は、昇降機の部品毎に、該部品を表す部品識別情報、及び該部品の管理に係わる部品管理情報を含む部品情報を記憶部２６に記憶させている。他に、部品に付された媒体に少なくとも記録されている部品識別情報を読み取る情報読取部と、読み取られた部品識別情報を含む部品情報を、媒体が付された部品の部品情報として記憶部２６に記憶させる第１の登録部と、記憶部に記憶された部品情報を表示装置上に表示させる表示制御部と、表示装置上に表示された部品情報を選択させるための操作部と、選択された部品情報を更新し、該更新した部品情報を、新たに用いられる部品の部品情報として記憶部２６に記憶させる第２の登録部と、を備えている。【選択図】図２
2018037026.tif 000002
【特許請求の範囲】
【請求項１】
昇降機の部品の管理に用いられる部品管理装置であって、
前記部品毎に、該部品を表す部品識別情報、及び該部品の管理に係わる部品管理情報を含む部品情報を記憶する記憶部と、
前記部品に付された媒体に少なくとも記録されている前記部品識別情報を読み取る情報読取部と、
前記情報読取部により読み取られた前記部品識別情報を含む部品情報を、前記媒体が付された部品の部品情報として前記記憶部に記憶させる第１の登録部と、
前記記憶部に記憶された前記部品情報を表示装置上に表示させる表示制御部と、
前記表示装置上に表示された前記部品情報を選択させるための操作部と、
前記操作部により選択された前記部品情報を更新し、該更新した部品情報を、前記選択された前記部品情報に対応する部品の代わりに用いられる部品の部品情報として前記記憶部に記憶させる第２の登録部と、
を備えたことを特徴とする部品管理装置。
【請求項２】
請求項１において、
前記操作部は、前記更新した前記部品情報の変更に用いることが可能であり、
前記第２の登録部は、前記操作部を用いて前記更新した前記部品情報が変更された場合、該変更された後の前記更新した前記部品情報を前記記憶部に記憶させることを特徴とする部品管理装置。
【請求項３】
請求項１または２において、
前記操作部は、前記情報読取部により読み取られた前記部品識別情報を含む部品情報の変更に用いることが可能であり、
前記第１の登録部は、前記操作部を用いて前記部品識別情報を含む部品情報が変更された場合、該変更された後の前記部品識別情報を含む部品情報を前記記憶部に記憶させることを特徴とする部品管理装置。
【請求項４】
請求項１、２または３において、
前記操作部は、前記表示装置上に表示させる前記部品情報が満たすべき条件の設定に用いることが可能であり、
前記表示制御部は、前記条件が設定された場合、該条件を満たす前記部品情報を前記記憶部から抽出して前記表示装置上に表示させることを特徴とする部品管理装置。
【請求項５】
昇降機の部品の管理に用いられる部品管理装置として使用可能な情報処理装置に、
前記部品毎に、該部品を表す部品識別情報、及び該部品の管理に係わる部品管理情報を含む部品情報を記憶部に記憶させ、
前記記憶部に記憶された前記部品情報を表示装置上に表示させ、
前記表示装置上に表示させた前記部品情報のなかから、交換する部品である第１の部品に対応する部品情報を選択させ、
前記第１の部品に対応する部品情報を用いて、該第１の部品の代わりとなる部品である第２の部品の部品情報を生成させ、
前記第２の部品の部品情報を前記記憶部に記憶させる登録を行わせる、
ことを特徴とする部品情報登録方法。
【発明の詳細な説明】
【技術分野】
【０００１】
本発明は、部品管理装置、及び部品情報登録方法に関する。
【背景技術】
【０００２】
エレベーター等の昇降機には、多くの部品が用いられている。部品のなかには、稼働によって消耗、或いは劣化するものがある。そのような部品（以降「交換対象部品」と総称）は、必要に応じて新しい部品と交換される。そのような部品交換により、昇降機は、一定の性能を維持するように管理される。新しい部品は、機能の変更、或いは追加に伴い、交換、或いは追加される場合もある。
【０００３】
このような部品の交換、或いは追加は、保守、或いは修理等を行う作業員が正確な作業を行うために確認できるようにする必要がある。その確認を行うことが可能な部品管理装置としては、例えば特許文献１に開示されたものがある。この特許文献１に開示の部品管理装置が用いられたシステムは、「制御用プリント基板、制御用リレーを含む昇降設備制御装置を備えた昇降設備用部品情報の遠隔管理システムであって、前記昇降設備用部品に取り付けられ、取り付けられた部品の製造年月日、来歴を含む情報を内部に格納するとともに、外付け電源が不要で、外部からの無線による読出しに応じて内部に格納した前記情報を外部の情報読み出し装置へ出力するＩＣチップと、前記昇降設備制御装置に設けられ、前記ＩＣチップにアクセスして、前記ＩＣチップに格納された前記情報を無線で読み出す情報読み出し装置と、前記情報読み出し装置と通信し、前記部品の情報を遠隔にて管理する遠隔保守装置を備えたことを特徴とする」という構成となっている。
【先行技術文献】
【特許文献】
【０００４】
【特許文献１】特開２００９−２９５０６４号公報
【発明の概要】
【発明が解決しようとする課題】
【０００５】
この特許文献１に開示の部品管理装置では、管理可能な部品は、ＩＣチップが取り付けられている部品に限定される。しかし、部品のなかには、ＩＣチップを取り付けられないもの（ここでは、その取り付けが困難なものを含む）も存在する。作業員が適切な作業をより容易に行えるようにするには、ＩＣチップ等の媒体を取り付けられない部品も管理対象にするのが望ましいと考えられる。
【０００６】
本発明は、上述したような課題を解決することに鑑みなされたもので、その目的は、作業員の適切、且つより容易な作業を支援できる部品管理装置を提供することにある。
【課題を解決するための手段】
【０００７】
上記目的を達成するために、代表的な本発明は、昇降機の部品の管理に用いられる部品管理装置であって、前記部品毎に、該部品を表す部品識別情報、及び該部品の管理に係わる部品管理情報を含む部品情報を記憶する記憶部と、前記部品に付された媒体に少なくとも記録されている前記部品識別情報を読み取る情報読取部と、前記情報読取部により読み取られた前記部品識別情報を含む部品情報を、前記媒体が付された部品の部品情報として前記記憶部に記憶させる第１の登録部と、前記記憶部に記憶された前記部品情報を表示装置上に表示させる表示制御部と、前記表示装置上に表示された前記部品情報を選択させるための操作部と、前記操作部により選択された前記部品情報を更新し、該更新した部品情報を、前記選択された前記部品情報に対応する部品の代わりに用いられる部品の部品情報として前記記憶部に記憶させる第２の登録部と、を備えたことを特徴とする。
【発明の効果】
【０００８】
本発明によれば、作業員の適切、且つより容易な作業を支援することができる。
なお、上記した以外の課題、構成及び効果は、以下の実施形態の説明により明らかにされる。
【図面の簡単な説明】
【０００９】
【図１】本実施形態による部品管理装置が部品を管理する昇降機の全体構成を説明する図である。
【図２】本実施形態による部品管理装置の機能構成例を説明する図である。
【図３】部品情報の構成例を説明する図である。
【図４】登録更新処理を示すフローチャートである。
【図５】第１の登録処理を示すフローチャートである。
【図６】第２の登録処理を示すフローチャートである。
【発明を実施するための形態】
【００１０】
以下、本発明に係る部品管理装置の実施形態を、図面を用いて説明する。図１は、本実施形態による部品管理装置が部品を管理する昇降機の全体構成を説明する図である。始めに、図１を参照し、本実施形態による部品管理装置が部品を管理する昇降機について具体的に説明する。
【００１１】
この昇降機は、エレベーター装置である。このエレベーター装置は、建物に設けられた昇降路１の多階床間で乗りかご３を昇降させるものである。昇降路１の頂部には機械室２が設けられている。この機械室２には、巻上機５、制御盤６、及び調速機７が設置されている。
【００１２】
巻上機５は、乗りかご３を昇降させるための電動機を含むものである。制御盤６は、この巻上機５を制御する。調速機７は、乗りかご３の昇降動作に同期して調速を行うためのものである。
【００１３】
乗りかご３には、非常止め引き上げ装置１３が設けられている。昇降路１の底部のピット部には調速機返し車８が設置されている。調速機７と調速機返し車８の間には調速機ロープ９が張架され、非常止め引き上げ装置１３は、その調速機ロープ９に繋がれている。それにより、調速機７，調速機返し車８、調速機ロープ９、及び非常止め引き上げ装置１３は、非常時に乗りかご３を止める非常止め装置として機能する。
【００１４】
乗りかご３は、巻上機５の電動機のモータ軸に設けられているシーブに巻き掛けられた複数本のロープを介して釣合い錘（カウンタウェイト）４と連結される。それにより、乗りかご３は、巻上機５の駆動によるシーブの回転に伴い、釣合い錘４と反対方向に昇降する。
【００１５】
図２は、本実施形態による部品管理装置の機能構成例を説明する図である。次に、本実施形態による部品管理装置２０の機能構成について、図２を参照して詳細に説明する。
【００１６】
本実施形態では、図２に示すように、部品管理装置２０を制御盤６に搭載させている。これは、作業員が現場で部品の確認を可能にすることで、適切な作業を行うのを支援するためである。また、制御盤６は筐体を備えており、部品管理装置２０はその筐体内に配置されている。それにより、防塵等の面で望ましい環境に部品管理装置２０を設置することができる。このことも部品管理装置２０を制御盤６に搭載させている理由である。
【００１７】
この部品管理装置２０は、図２に示すように、制御部２１、情報読取部２２、解析部２３、状態検知部２４、表示部２５、記憶部２６、及び操作部２７を備えた情報処理装置である。
【００１８】
制御部２１は、部品管理装置２０全体を制御する。情報読取部２２は、部品に付された媒体に記録されている情報を読み取るためのデバイスであり、本実施形態における情報読取部に相当する。
【００１９】
この情報読取部２２は、具体的には、例えばカメラ、或いは／及び、通信デバイスである。カメラを情報読取部２２として採用した場合、媒体に記録されたＱＲ（Ｑｕｉｃｋ  Ｒｅｓｐｏｎｓｅ）コード（登録商標）等に対応することができる。また、部品の画像を得ることができる。通信デバイスを情報読取部２２として採用した場合、媒体として付されたＩＣチップ（ＲＦＩＤ（Ｒａｄｉｏ  Ｆｒｅｑｕｅｎｃｙ  ＩＤｅｎｔｉｆｉｃａｔｉｏｎ）タグ）に対応することができる。
【００２０】
解析部２３は、情報読取部２２によって読み取られた情報を必要に応じてデコードするためのものである。例えば情報読取部２２がカメラであった場合に、そのカメラが撮影したＱＲコード等は解析部２３によって文字情報にデコードされる。このことから、解析部２３は、広義には、本実施形態における情報読取部の一部に相当すると云える。
【００２１】
状態検知部２４は、制御盤６の本体から出力される機器状態信号を入力し、その機器状態信号が示すエレベーター装置の状態を検知するものである。検知された状態を示す情報は以降「状態検知情報」と表記する。
【００２２】
表示部２５は、例えばＬＣＤ（Ｌｉｑｕｉｄ  Ｃｒｙｓｔａｌ  Ｄｉｓｐｌａｙ）等の表示装置である。記憶部２６は、部品に係わる情報（部品情報）の保存に用いられる１つ以上の記憶デバイスであり、本実施形態における記憶部に相当する。その記憶部２６上には、例えばデータベースが構築され、部品情報の集合である部品情報群２６ａは、データベースによって管理される。
【００２３】
操作部２７は、作業員（ユーザ）が操作する操作子、及びその操作子への操作を検出する検出回路を備えた構成要素である。操作子としては、例えばタッチパネル、或いは／及び、キー群を挙げることができる。
【００２４】
図３は、部品情報の構成例を説明する図である。部品情報は、図３に示すように、配置場所情報、部品名情報、部品ＩＤ（ＩＤｅｎｔｉｆｉｅｒ）情報、部品番号情報、シリアル番号情報、座標情報、交換日情報、状態情報、及び備考情報を含む。この部品情報は１レコード（エントリ）３０として記憶部２６に保存される。
【００２５】
配置場所情報は、部品が配置された場所を表す情報である。図３に表記の「制御盤」は、部品の配置場所が制御盤６であることを表している。配置場所の分類は特に限定されるものではない。部品名情報は、部品の名称を表す情報である。「電解コンデンサ」は、実際の部品名を表している。
【００２６】
部品ＩＤ情報は、エレベーター装置に用いられている部品別に割り当てられた識別情報である。「ＡＡＡＡ」は、商品ＩＤ情報の例を表している。部品番号情報は、部品の種類を表す情報である。「ＢＢＢＢＢＢ」は、部品番号情報の例を表している。シリアル番号情報は、部品毎に割り当てられた識別情報である。「Ｎｕｌｌ」は、シリアル番号情報が存在しないことを表している。
【００２７】
座標情報は、部品が配置された位置を表す情報であり、その位置は、配置場所情報が表す配置場所の所定位置を基準に表される。「ＸＸ，ＹＹ，ＺＺ」は、その位置が３次元座標で表されることを意味する。
【００２８】
交換日情報は、部品が取り付け、或いは取り外された日を表す情報である。レコード３０−１に表記の「２０００，８，２５」は２０００年８月２５日を表している。同様に、レコード３０−２に表記の「２０１０，８，２６」は、２０１０年８月２６日を表している。
【００２９】
状態情報は、部品が取り付けられているか否かを表す情報である。図３に表記の「取り外し」「取り付け」は、それぞれ、部品が存在する、部品が存在しない、ことを表している。備考情報は、その他の作業員にとって参考となる情報の保存のために設けられたものである。
【００３０】
レコード３０−１には備考データとして「新規設置、定期検査」が表記されている。交換日情報は２０００年８月２５を表し、状態情報は取り外しを表している。このことから、対応する電解コンデンサは、エレベーター装置の新規設置時に搭載されており、２０１０年８月２６日に実施の定期検査時に交換されたことを作業員は認識することができる。
【００３１】
レコード３０−２には備考データとして「定期検査」が表記されている。交換日情報は２０１０年８月２６を表し、状態情報は取り付けを表している。部品ＩＤ情報、部品番号情報はレコード３０−１と同じ内容である。このことから、対応する電解コンデンサは、レコード３０−１に部品情報が格納された電解コンデンサの代わりに取り付けられた同じ種類のものであることを作業員は認識することができる。レコード３０−１に部品情報が格納された部品は第１の部品に相当し、レコード３０−２に部品情報が格納された部品は第２の部品に相当する。
【００３２】
上記のような部品情報において、例えば部品名情報、部品ＩＤ情報、部品番号情報、及びシリアル番号情報は部品識別情報に相当する。残りの座標情報、交換日情報、状態情報、及び備考情報は、全て部品管理情報に相当する。部品識別情報、部品管理情報は、この例に限定されるものではない。
【００３３】
部品交換、或いは部品の追加を行う作業員は、部品情報群２６ａの更新を併せて行うようになっている。その更新は、操作部２７を操作して、部品情報群２６ａ（データベース）の更新を指示することで可能になる。その更新を作業員が指示した場合、その指示が制御部２１によって認識され、制御部２１は、部品情報群２６ａの更新のための登録更新処理を実行する。
【００３４】
図４は、この登録更新処理を示すフローチャートである。次に図４を参照し、制御部２１が実行する登録更新処理について詳細に説明する。ここでは便宜的に、図４には、１部品の登録時に実行される処理のなかで主なものを抽出してその流れを示している。この登録更新処理を実行することにより、制御部２１は、本実施形態における表示制御部、第１の登録部、及び第２の登録部として機能する。
【００３５】
この登録更新処理の実行を開始した場合、制御部２１は、先ず、選択画面を表示部２５上に表示させる（ステップＳ４０１）。この選択画面は、部品情報の入力方法を作業員に選択させるためのものである。作業員は、この選択画面により、情報読取部２２を利用するか否かを選択することができる。
【００３６】
この選択画面を表示させた後、制御部２１は、操作部２７への操作を監視し、その操作を認識した場合、その操作の内容が「読み取り」を選択したか否か判定する（ステップＳ４０２）。情報読取部２２の利用を望む場合、作業員は「読み取り」を選択する。このことから、その「読み取り」を作業員が選択した場合、ステップＳ４０２の判定はＹＥＳとなってステップＳ４０３に移行する。その「読み取り」を作業員が選択しなかった場合、つまり作業員が「手入力」を選択した場合、ステップＳ４０３の判定はＮＯとなってステップＳ４０４に移行する。
【００３７】
ステップＳ４０３では、制御部２１は、情報読取部２２を用いた情報入力により部品情報を登録するための第１の登録処理を実行する。その実行後、登録更新処理が終了する。
【００３８】
一方、ステップＳ４０４では、制御部２１は、情報読取部２２を用いることなく部品情報を登録するための第２の登録処理を実行する。その実行後、登録更新処理が終了する。
【００３９】
図５は、第１の登録処理を示すフローチャートである。次に図５を参照し、この第１の登録処理について詳細に説明する。この第１の登録処理の実行により、制御部２１は第１の登録部として機能する。
【００４０】
本実施形態では、部品情報群２６ａはエレベーター装置の新規設置時に記憶部２６に保存されていることを前提としている。その前提から、部品に付された媒体（ＱＲコードの印字媒体、或いはＲＦＩＤタグ、等）には少なくとも部品ＩＤ情報を記録させていることを想定している。これは、部品ＩＤ情報は、例え同じ種類の部品であっても配置位置、座標情報が異なる部品には異なる部品ＩＤ情報が割り当てられるからである。そのため、部品ＩＤ情報が特定できた場合、同じ商品ＩＤ情報を格納したレコード３０から、他の情報を抽出することができる。
【００４１】
先ず、制御部２１は、情報読取部２２が起動していなければこの情報読取部２２を起動させる（ステップＳ５０１）。次に、制御部２１は、情報読取部２２にＱＲコード、或いはＲＦＩＤタグの読み取りを行わせる（ステップＳ５０２）。情報読取部２２にＱＲコードを読み取らせる場合、制御部２１は、読み取られたＱＲコードを解析部２３にデコードさせ、文字情報に変換させる。
【００４２】
文字情報を取得した制御部２１は、次に、その文字情報に含まれる部品ＩＤ情報を用いて部品情報群２６ａの検索を行い、同じ部品ＩＤ情報が格納され、且つ状態情報が「取り付け」となっているレコード３０を抽出する（ステップＳ５０３）。状態情報が「取り付け」となっているレコード３０のみを抽出対象としているのは、新たに取り付けられる部品が交換のためのものと想定しているためである。
【００４３】
レコード３０の抽出が終了した制御部２１は、抽出されたレコード３０の部品情報を表示部２５に表示させる。レコード３０を抽出できなかった場合、制御部２１は、読み取られた情報を表示させる（以上ステップＳ５０４）。このとき、交換日情報として今日の年月日が表示され、備考情報として、上記状態検知情報が必要に応じて表示される。状態情報としては「取り付け」が表示される。このように、交換日情報、備考情報、及び状態情報は、制御部２１による自動入力の対象となっている。
【００４４】
機能の変更、或いは機能の追加では、それまでに存在しない部品を新たに取り付ける場合がある。その場合、レコード３０は基本的に抽出できない。レコード３０が抽出できなかった場合、制御部２１は、存在しない部品ＩＤ情報を生成して表示させる。配置場所情報、部品名情報、部品番号情報、シリアル番号情報、及び座標情報は、媒体から読み取れたもののみを表示させる。
【００４５】
それにより、本実施形態では、入力が必要な情報を作業員に認識し易いようにしている。このことから、情報を配置した画面は、情報入力画面として表示される。図５では、その情報入力画面での操作としては、情報を入力するための入力操作、及び登録を指示する操作の２つのみを想定している。
【００４６】
情報入力画面を表示させた制御部２１は、操作部２７に対して行われる操作を監視し、その操作を解析して、作業員の行った操作内容を認識し、認識した操作内容が入力操作か否か判定する（ステップＳ５０５）。作業員が登録指示のための操作を行った場合、ステップＳ５０５の判定はＮＯとなってステップＳ５０６に移行する。作業員が入力操作を行った場合、ステップＳ５０５の判定はＹＥＳとなってステップＳ５０４に戻り、制御部２１は、その入力操作を反映させた内容に情報入力画面を更新させる。それにより、作業員が行った入力操作に応じて、情報入力画面の表示内容が更新される。
【００４７】
ステップＳ５０６では、制御部２１は、表示させている情報を部品情報として記憶部２６に保存（追加）する。レコード３０が抽出できた場合、制御部２１は、そのレコード３０の状態情報は「取り外し」に更新する。レコード３００が抽出できなかった場合、制御部２１は、部品情報を記憶部２６に保存する１レコード３０の追加のみを行う。その後、第１の登録処理が終了する。
【００４８】
このようなことから、図３に示すレコード３０−１は交換により取り外された部品（電解コンデンサ）の部品情報が格納されたものである。レコード３０−２は、その部品の代わりに取り付けられた部品の部品情報が格納されたものである。現在、使用されている部品のレコード３０のみを残せば良いような場合、レコード３０−１の削除、或いはレコード３０−２の追加の代わりにレコード３０−１の更新を行っても良い。
【００４９】
上記のように、本実施形態では、部品情報群２６ａ（データベース）の存在を前提とし、既存の部品と交換する部品の部品情報の登録では、交換される部品の部品情報（レコード３０）を特定するようにしている。そのため、部品ＩＤ情報が同じレコード３０では状態情報が「取り付け」となっているレコード３０は１つのみとすることができる。実際には交換済みの部品が未交換となっているようなことは確実に回避させることができる。
【００５０】
この結果、作業員は、部品情報の閲覧では、実際に使用されている部品の部品情報を確認することができる。過去に使用されていた部品の部品情報の確認も可能である。このようなことから、部品の交換は、現在、使用されている部品、或いは／及び、過去に使用されていた部品の部品情報を作業員は確認して行うことができる。それにより、適切な作業をより容易に行えるように作業員を支援することができる。
【００５１】
レコード３０が抽出できた場合、制御部２１は、部品情報のなかで媒体に記録されていない情報として、そのレコード３０に格納されている情報を用いる。このことから、作業員にとっては、入力すべき情報、或いは変更すべき情報の数が抑えられることとなる。それにより、作業員が行うべき入力操作の作業量も抑えられる。レコード３０を抽出できた場合、このような利点がある。
【００５２】
図６は、図４に示すステップＳ４０４として実行される第２の登録処理を示すフローチャートである。次に図６を参照して、この第２の登録処理について詳細に説明する。この第２の登録処理の実行により、制御部２１は第２の登録部として機能すると共に、本実施形態における部品情報登録方法が実現される。
【００５３】
上記のように、情報読取部２２を用いた媒体の読み取りにおける既存の部品と交換する部品の部品情報の登録では、交換される部品の部品情報（レコード３０）の特定を前提としている。その特定は、手入力でも前提としている。このことから、既存の部品と交換する部品の部品情報の登録では、交換する部品の部品情報が格納されたレコード３０を作業員に選択（特定）させるようにしている。
【００５４】
その選択を効率的に行えるように、キーワードを設定可能にしている。部品情報に含まれる配置場所情報、部品名情報、部品ＩＤ情報、部品番号情報、シリアル番号情報、座標情報、及び交換日情報は、何れもキーワードとして設定することができるようになっている。このキーワードは、部品情報が満たすべき条件に相当する。
【００５５】
なお、部品情報の閲覧では、部品情報を構成する各情報は何れもキーワードとして設定可能にしている。これは、保存されている部品情報を制限することなく、作業員に閲覧可能にするためである。
【００５６】
先ず、制御部２１は、キーワード入力用の入力画面を表示部２５に表示させる（ステップＳ６０１）。そのキーワードは、例えば情報別に入力可能なものである。図６では、その入力画面での操作としては、キーワードを入力するための入力操作、及び検索実行を指示する操作の２つのみを想定している。
【００５７】
入力画面を表示させた後の制御部２１は、操作部２７に対して作業員の行った操作の内容を認識し、認識した操作内容が入力操作か否か判定する（ステップＳ６０２）。作業員が検索実行の指示のための操作を行った場合、ステップＳ６０２の判定はＮＯとなってステップＳ６０３に移行する。作業員が入力操作を行った場合、ステップＳ６０２の判定はＹＥＳとなってステップＳ６０１に戻り、制御部２１は、その入力操作を反映させた内容に入力画面を更新させる。それにより、作業員が行った入力操作に応じて、入力画面の表示内容が更新される。
【００５８】
ステップＳ６０３では、入力画面上に入力されたキーワードを用いて部品情報群２６ａの検索を行い、入力されたキーワードを全て含むレコード３０を抽出する。次に制御部２１は、抽出したレコード３０の一覧を表示部２５に表示させる（ステップＳ６０４）。
【００５９】
この一覧は、特に限定されるものではないが、例えばレコード３０毎に、配置場所情報、商品名情報、部品番号情報、及び座標情報等の部品を特定可能にする一部の情報のみを表示させたものである。図６では、この一覧表示時の作業員が行う操作として、レコード３０の新規追加を指示する操作、レコード３０の選択操作、及び一覧をスクロールさせる等の表示内容の更新操作の３つのみを想定している。
【００６０】
一覧を表示させた後の制御部２１は、操作部２７に対して作業員の行った操作の内容を認識し、認識した操作内容が新規追加を指示する操作か否か判定する（ステップＳ６０５）。作業員がその指示のための操作を行った場合、ステップＳ６０５の判定はＹＥＳとなってステップＳ６１０に移行する。作業員がその指示以外のための操作を行った場合、ステップＳ６０５の判定はＮＯとなってステップＳ６０６に移行する。
【００６１】
ステップＳ６０６では、制御部２１は、操作部２７に対して作業員の行った操作の内容が更新操作か否か判定する。作業員がその更新操作を行った場合、ステップＳ６０６の判定はＹＥＳとなってステップＳ６０４に戻る。それにより、一覧表示は、作業員の行う更新操作に応じて内容が更新される。作業員が選択操作を行った場合、ステップＳ６０６の判定はＮＯとなってステップＳ６０７に移行する。
【００６２】
ステップＳ６０７では、制御部２１は、作業員が選択したレコード３０に格納されている部品情報を用いて、登録対象とする部品情報を表示させる。この表示は、上記ステップＳ５０４で表示させる情報入力画面を用いて行われる。それにより、ここでも、その情報入力画面での操作としては、情報を入力するための入力操作、及び登録を指示する操作の２つのみを想定している。
【００６３】
この情報入力画面を表示させた制御部２１は、操作部２７に対して作業員の行った操作の内容を認識し、認識した操作内容が入力操作か否か判定する（ステップＳ６０８）。作業員が入力操作を行った場合、ステップＳ６０８の判定はＹＥＳとなってステップＳ６０７に戻る。それにより、作業員の行った入力操作に応じて、情報入力画面の表示内容が更新される。作業員が登録を指示する操作を行った場合、ステップＳ６０８の判定はＮＯとなってステップＳ６０９に移行する。
【００６４】
ステップＳ６０９では、制御部２１は、表示させている情報を部品情報として記憶部２６に保存（追加）する。作業員が選択したレコード３０の状態情報は「取り外し」に更新する。そのような登録、及び更新を行った後、第２の登録処理が終了する。
【００６５】
情報入力画面上で部品情報の変更を行えるようにすることにより、作業員は、望ましくない情報を望ましい情報に変更することができる。それまでの部品とは異なる部品に交換する場合には、部品ＩＤ情報を変更することができる。このようなことから、作業員にとっての高い利便性が実現される。また、作業員が選択した部品情報の少なくとも一部は自動入力される形となることから、作業員は部品情報の入力をより容易、且つ迅速に行うことができる。
【００６６】
上記ステップＳ６０５の判定がＹＥＳとなって移行するステップＳ６１０では、
制御部２１は、上記情報入力画面を表示部２５に表示させる。制御部２１は、この情報入力画面に、作業員が入力した各キーワードを対応する情報の内容として表示させる。
【００６７】
ここでも、その情報入力画面での操作としては、情報を入力するための入力操作、及び登録を指示する操作の２つのみを想定している。このことから、この情報入力画面を表示させた制御部２１は、操作部２７に対して作業員の行った操作の内容を認識し、認識した操作内容が入力操作か否か判定する（ステップＳ６１１）。作業員が入力操作を行った場合、ステップＳ６１１の判定はＹＥＳとなってステップＳ６１０に戻る。それにより、作業員の行った入力装置に応じて、情報入力画面の表示内容が更新される。作業員が登録を指示する操作を行った場合、ステップＳ６１１の判定はＮＯとなってステップＳ６１２に移行する。
【００６８】
ステップＳ６１２では、制御部２１は、情報入力画面上に配置した各情報を部品情報として記憶部２６に保存する。部品ＩＤ情報は、作業員が入力していた場合、他の部品ＩＤ情報と重複するか否かを確認し、その確認結果に応じて保存する。それにより、新たに登録する部品情報の部品ＩＤ情報として、重複しないものを保存する。このような部品情報の登録を行った後、第２の登録処理が終了する。
【００６９】
ＲＦＩＤタグ等の媒体は、小さい部品、自身、他の部品、若しくは工具等と接触する部品、或いは望ましくない温度になる部品、等には付すことは困難である。具体的には、抵抗管、ヒューズ、ボルト、チェーン、及び歯車等の部品である。そのような部品のなかには、部品を特定するのが困難な状態に壊れるものもある。
【００７０】
しかし、そのような部品であっても、既存の部品と交換する部品の部品情報の登録では、交換される部品の部品情報（レコード３０）の特定を前提としていることから、適切な部品情報を登録させることができる。それにより、作業員は、そのような部品であっても、必要な部品情報の内容を確認することができ、その確認により、適切な作業をより容易に行うことができる。
【００７１】
特定できないように壊れた部品であっても、配置場所は特定可能なのが普通である。また、その種類、或いは大凡の設置位置、等も特定可能であることが多い。このことから、作業員は、特定できた情報をキーワードとして用いることにより、壊れた部品の候補を絞り込むことができる。それにより、適切な作業をより容易に行えるように、作業員を支援することができる。
【００７２】
なお、本実施形態では、管理する部品（部品情報を登録する部品）はエレベーター装置に用いられるものとなっているが、その部品が用いられる昇降機はエスカレーター装置であっても良い。また、部品管理装置２０の一部は、エレベーター装置が設置された現場に設置しなくとも良い。例えば現場（例えば制御盤６）には、通信機能、表示装置、及び操作部を備えた端末装置を設置し、部品管理装置２０の本体となる情報処理装置をその端末装置とネットワークを介して接続させても良い。
【００７３】
このようなことから、本発明は、上述した実施形態、或いは変形例に限定するものではなく、他にも様々な変形が可能である。例えば、上述した実施形態は本発明を分かり易く説明するために詳細に説明したものであり、必ずしも説明した全ての構成を備えるものに限定するものではない。動作も同様に限定するものではない。例えば、部品情報のなかで自動入力、或いは自動更新により入力の支援を行う対象とする情報も特に限定するものではない。
【符号の説明】
【００７４】
６  制御盤
２０  部品管理装置
２１  制御部
２２  情報読取部
２３  解析部
２４  状態検知部
２５  表示部
２６  記憶部
２６ａ  部品情報群
２７  操作部
【図１】
2018037026.tif 000003
【図２】
2018037026.tif 000004
【図３】
2018037026.tif 000005
【図４】
2018037026.tif 000006
【図５】
2018037026.tif 000007
【図６】
2018037026.tif 000008